(57)【要約】【課題】      送電用鉄塔等の構造物への鳥類の営巣等を恒久的に回避する。【解決手段】  鳥類が忌避するヒ素を含んだヒ素合金により作成され、かつ、構造物（１２）を構成する構造材（１２’）を固定する既設のボルト・ナット（１４，１６）のボルト（１４）に螺合可能な雌ネジが切られた円筒溝（１８）が形成されたナット形状を有する鳥害防止用ヒ素合金金物を、既設のボルト・ナットの、ナット（１６）から突出するボルト（１４）先端部分に螺合させる。この鳥害防止用ヒ素合金金物はその構造が簡易で低製造コストで製造することができ、またその取り付けが極めて簡易で、さらに、構造物上での作業者の作業を妨げることもほとんどない。【選択図】  図２
2006204147.tif 000002
【特許請求の範囲】
【請求項１】
鳥類が忌避するヒ素を含んだヒ素合金により作成され、かつ、構造物（１２）を構成する構造材（１２’）を固定する既設のボルト・ナット（１４，１６）のボルト（１４）に螺合可能な雌ネジが切られた円筒溝（１８）が形成されたナット形状を有することを特徴とする鳥害防止用ヒ素合金金物。
【請求項２】
鳥類が忌避するヒ素を含んだヒ素合金を永久磁石化し、これを平板状またはＬ字板状に形成したことを特徴とする鳥害防止用ヒ素合金金物。
【請求項３】
鳥類が忌避するヒ素を含んだヒ素合金を構造物（１２）に取り付けるための鳥害防止用ヒ素合金の取付構造であって、
任意の形状のヒ素合金塊に雌ネジを切った円筒溝（１８）を形成し、該雌ネジを、構造物を構成する構造材（１２’）を固定する既設のボルト・ナット（１４，１６）の、ナット（１６）から突出するボルト（１４）先端部分に螺合させる、ことを特徴とする鳥害防止用ヒ素合金の取付構造。
【請求項４】
鳥類が忌避するヒ素を含んだヒ素合金を構造物（１２）に取り付けるための鳥害防止用ヒ素合金の取付構造であって、
平板状又はＬ字板状に形成したヒ素合金を永久磁石化し、その磁性によりヒ素合金を構造物を構成する磁性体の構造材（１２’）に磁着する、ことを特徴とする鳥害防止用ヒ素合金の取付構造。
【請求項５】
鳥類が忌避するヒ素を含んだヒ素合金を構造物（１２）に取り付けるための鳥害防止用ヒ素合金の取付構造であって、
平板状のヒ素合金を折り曲げることでコの字型形状又はＣ字型形状に形成したヒ素合金を、構造物の扁平状の端部に嵌挿することで構造物を挟止させて固定する、ことを特徴とする鳥害防止用ヒ素合金の取付構造。
【請求項６】
鳥類が忌避するヒ素を含んだヒ素合金を構造物（１２）に取り付けるための鳥害防止用ヒ素合金の取付構造であって、
ヒ素合金により作成した針金材を、構造物上の鳥類の足場となりうる位置に突出するように配設する、ことを特徴とする鳥害防止用ヒ素合金金物の取付構造。
【請求項７】
鳥類が忌避するヒ素を含んだヒ素合金を構造物（１２）たる送電用鉄塔に取り付けるための鳥害防止用ヒ素合金の取付構造であって、
ヒ素合金により作成したアークホーンを碍子連両端に配設する、ことを特徴とする鳥害防止用ヒ素合金金物の取付構造。
【発明の詳細な説明】
【技術分野】
【０００１】
本発明は送電用鉄塔などの構造物に取り付けることで鳥を退け、該構造物上への鳥の営巣、構造物上からの鳥糞等の落下、鳥の鳴き声による騒音等の鳥害を防止するために用いられる鳥害防止用ヒ素合金および鳥害防止用ヒ素合金金物の取付構造に関する。
【背景技術】
【０００２】
鳥が高圧送電線の送電用鉄塔に営巣することがあり、かかる鳥の巣は送電設備に様々なトラブルを発生させる原因となる。例えばカラスは、巣材に鉄線等の長い導電材を用いるケースが多く、かかるカラスの巣材の送電線への接触は地絡による異常電圧を発生させ、送電設備の事故原因となる。
かかる事故原因を排除するためこれまでも例えば、特許文献１に記載の「鉄塔用鳥害防止具」のように、鉄塔の構造部材から紐類、ロープ類、縄類、テープ類などの複数本の紐状体を下方へ垂れ下げるものや、特許文献２の「鳥害防止器具」のように構造部材に回転可能なパイプを取り付けることで、鳥の足場を不安定な状態にし、鳥類が営巣等をすることを防止する装置などが多く発案されている。
【特許文献１】特開平１０−９４３５６
【特許文献１】実開平６−３８５５９
【発明の開示】
【発明が解決しようとする課題】
【０００３】
しかしながら、上記特許文献に記載の発明・考案の装置は、その構造が複雑で製造コストが高くなるだけでなく、その設置にも多くの手間を要し、また、風雨による劣化を伴うため恒久的に使用することができるものではなかった。またこれらは、送電用鉄塔などでの作業者の作業の邪魔となることが多く、さらに、鳥の慣れ等により、長期にわたって十分な効果が得られていなといった問題があった。
【０００４】
本発明は上記問題点を解決するためになされたもので、その目的は、構造が単純でその製造コストも安く、またその取り付けが容易で、さらに送電用鉄塔等の構造物上での作業者の作業にも邪魔になることがほとんどなく、恒久的に鳥が営巣等をすることを防止することができる鳥害防止用ヒ素合金金物および鳥害防止用ヒ素合金の取付構造を提供することにある。
【課題を解決するための手段】
【０００５】
上記問題を解決するため本発明の鳥害防止用ヒ素合金金物は、鳥類が忌避するヒ素を含んだヒ素合金により作成され、かつ、構造物（１２）を構成する構造材（１２’）を固定する既設のボルト・ナット（１４，１６）のボルト（１４）に螺合可能な雌ネジが切られた円筒溝（１８）が形成されたナット形状を有する、ことを特徴とする。
【０００６】
ここでこの鳥害防止金物は、任意の形状のヒ素合金塊に雌ネジを切った円筒溝（１８）を形成し、該雌ネジを、構造物を構成する構造材（１２’）を固定する既設のボルト・ナット（１４，１６）の、ナット（１６）から突出するボルト（１４）先端部分に螺合させることで構造物に取り付けられる。
【０００７】
またこの鳥害防止用ヒ素合金金物は、鳥類が忌避するヒ素を含んだヒ素合金を永久磁石化し、これを平板状またはＬ字板状に形成し、その磁性によりヒ素合金は金属製の構造物に磁着される。
【０００８】
さらに、鳥類が忌避するヒ素を含んだヒ素合金を構造物（１２）に取り付けるための鳥害防止用ヒ素合金の取付構造であって、平板状のヒ素合金を折り曲げることでコの字型形状又はＣ字型形状に形成したヒ素合金を、構造物の扁平状の端部に嵌挿することで構造物を挟止させて固定する、ことも好ましい。
【０００９】
また、鳥類が忌避するヒ素を含んだヒ素合金を構造物（１２）に取り付けるための鳥害防止用ヒ素合金の取付構造であって、ヒ素合金により作成した針金材を、構造物上の鳥類の足場となりうる位置に突出するように配設する、ことも好ましい。
【００１０】
鳥類が忌避するヒ素を含んだヒ素合金を構造物（１２）たる送電用鉄塔に取り付けるための鳥害防止用ヒ素合金の取付構造であって、ヒ素合金により作成したアークホーンを碍子連両端に配設する、ことも好ましい。
【発明の効果】
【００１１】
本発明は、鳥がヒ素を嫌うといった発見に基づき創案されたものである。
この発見は、公園などに置かれた大抵の銅像は鳥の糞で汚されているのに対し、日本武尊（やまとたけるのみこと）の銅像にはカラスやハトが近寄らず糞に汚されていないことに着目して行われた研究（「ハトを寄せつけない銅像の化学的研究（金沢大学）」）において詳細に説明されている。その研究では、通常の銅像が２〜３％程度のヒ素を含むのに対して、日本武尊の銅像には１０％ものヒ素が含まれていることから、鳥がヒ素を嫌うことを導出している。
【００１２】
かかる発見に基づき創案された請求項１に記載の鳥害防止用ヒ素合金金物および請求項３に記載の鳥害防止用ヒ素合金の取付構造によれば、鳥類が嫌悪して忌避するヒ素を含んだヒ素合金を、Ｌ字型の構造材（山型鋼）などを組み合わせることで構成された送電用鉄塔等の構造物に取り付けるために、ヒ素合金塊に雌ネジを切り、これを構造材を固定する既設のボルト・ナットの、ナットから突出するボルト先端部分に螺合させることで、ヒ素合金を極めて容易に構造物に取り付けることができるとともに、送電用鉄塔等の上で作業を行う作業者の作業の邪魔となることもほとんどなく、カラスや鳩等が営巣すること等を恒久的に防止することが可能となる。
なお、送電用鉄塔へのカラス等の営巣は主として山型鋼などが交差する部分にできた水平の狭小スペースになされるが、かかる部分は構造材同士を結合するために多くの場合、ボルト・ナットで固定されている。そのため、これらの部位にはヒ素合金を容易に取り付けることができ、これにより営巣され易い場所への営巣を効果的に防止することが可能となる。
【００１３】
請求項２に記載の鳥害防止用ヒ素合金金物および請求項４に記載の鳥害防止用ヒ素合金の取付構造によれば、ヒ素合金を永久磁石化し、これを平板状またはＬ字板状にすることで、金属製の平面的な構造材やＬ字型の構造材に磁着させることができる。本発明によれば、ヒ素合金を極めて容易に構造物に取り付けることができ、また取り付けたヒ素合金が作業者の作業を邪魔することもほとんどなく、カラス等が営巣すること等を恒久的に防止することができる。
【００１４】
また請求項５に記載の鳥害防止用ヒ素合金の取付構造によれば、板状のヒ素合金を折り曲げて形成したコの字型形状又はＣ字型形状の鳥害防止用ヒ素合金を用い、その開口部から扁平板状の構造材の端部にこれを嵌挿して構造材を挟止させて固定することで、扁平板状の端部を有する構造材であれば、金属製の構造物に限られず、所望の位置に鳥害防止用ヒ素合金金物を容易に取り付けることができる。
【００１５】
請求項６に記載の鳥害防止用ヒ素合金の取付構造によれば、送電用鉄塔や駅のプラットホームの屋根の梁などに取り付けられている従来の針状の鳥害防止用金物（いわゆるクローアウト（登録商標））を鳥類が忌避するヒ素合金によって製作してやることで、クローアウトによる鳥類の足場の阻害とヒ素合金による鳥類の忌避という相乗効果によって、鳥害をより有効に防止することが可能となる。
【００１６】
送電用鉄塔では、避雷のために碍子連両端に配設されるアークホーン間にカラス等が接触しまたはカラス等が運んできた小枝などが接触することで地絡事故が発生することがある。そのため請求項７に記載の鳥害防止用ヒ素合金の取付構造では、避雷のために碍子連両端に配設されるアークホーンを鳥類が忌避するヒ素合金により製作してやることで、アークホーンの機能を維持させたまま鳥類の飛来を防止し、アークホーン間での地絡事故を有効に防止することができる。
【発明を実施するための最良の形態】
【００１７】
本発明の鳥害防止用ヒ素合金金物は、主として電力事業者が保有する送電用鉄塔へのカラス等の鳥類の営巣を防止して、地絡等による送電設備の事故を未然に防ぐことを目的とするものである。
【００１８】
以下、まず送電用鉄塔の構造について図面を用いて説明する。図１（ａ）に模式的に示した送電用鉄塔２１は、下端が地盤に支持された複数本の主柱材２３と、立設された主柱材２３間に両端が渡設固定され、トラス構造を形成する複数の斜材２５ａおよび水平材２５ｂからなる腹材２５と、立設された主柱材２３に固設され、図示しない架空地線もしくは電線からなる架渉線が架設される腕金材２７とを備えている。
【００１９】
主柱材２３は、鉄製の山型鋼や円鋼管などから構成され、基礎構造により地盤に下端側が支持されており、概略鉛直上方を指向するように立設されている。
【００２０】
図１（ｂ）の側面図および図１（ｃ）の平面図に示した腕金材２７は、鉄製の山型鋼で構成され、腕金主材２７ａと腕金吊材２７ｂとを有し、立設配置された隣接する主柱材２３間において外側に延出するように補強板２９を介して複数のボルト・ナット１４，１６により締結されている。
【００２１】
腹材２５は、鉄製の山型鋼で構成され、立設配置された４本の主柱材２３間を直線で結ぶようにして、両端が各主柱材に補強板２９を介して複数のボルト・ナット１４，１６により固設され、主柱材間にトラス構造を形成している。
【００２２】
図示しない電線は、複数の碍子を段状に介在させて、腕金材２７の両端側に支持されている。なお、腕金材への電線の支持方法としては、碍子を鉛直方向に吊り下げて支持する懸垂方式や、腕金材の先端に碍子をほぼ水平方向に取り付けた耐張方式などがある。なお架空地線は、碍子を介することなく鉄塔頂部に支持される。
【００２３】
以上説明したように送電用鉄塔２１は、少なくとも垂直方向に立設する主柱材２３以外の構造材１２’は、主として厚さが１ｃｍ程度の長い平板状の金属板を短手方向に９０度折り曲げて形成した山型鋼であり、山型鋼同士または山型鋼と主柱材の連結・接合には、補強板２９などを介して多くのボルト・ナット１４，１６が用いられている。
【００２４】
なおカラス等の営巣は、図１（ｂ）及び（ｃ）の円で示した部分になされることが多い。
【実施例１】
【００２５】
図２（ａ）に本実施例の鳥害防止用ヒ素合金金物１０の平面図、側面図、縦断面図を示した。これらの図に示したように、この鳥害防止用ヒ素合金金物はヒ素合金を六角柱状に形成したもので、その中心部軸方向には、送電用鉄塔の構造材１２’を固定するために設けられた既設のボルト・ナットのナットに螺合することができる大きさの雌ネジが切られた円筒溝１８が形成されている。この鳥害防止用ヒ素合金金物１０は既設のボルト・ナット１４，１６のナット１６とほぼ同様の形状を有しているが、その軸方向一端には、その端部を閉じるように半球形の蓋部が一体形成されている。なおこの半球形の蓋部は、本実施例の鳥害防止用ヒ素合金金物にとって必須の部位ではなく、形成しないことも勿論可能である。
【００２６】
この鳥害防止用ヒ素合金金物１０は、銅、鉄、鉛などを主成分として、これに５〜１５重量％程度のヒ素を混合したヒ素合金を加工することによって作成される。また風雨などの外界からの影響による錆の発生を抑制するために、円筒溝１８の部分を除いてプラスティック樹脂等によって被覆してやることも好ましい。なお、樹脂等でヒ素合金を被覆しても、鳥がこれを忌避する効果にほとんど変化がないことが実証されている。
【００２７】
以上のように形成した鳥害防止用ヒ素合金金物１０は図２（ｂ）に示したように、山型鋼（構造材１２’）と補強板２９とを締結する既設のボルト・ナット１４，１６の、通常、ナット１６から１ｃｍ程度突出するボルト１４先端を覆うようにして、ボルト先端に螺合される。螺合されたヒ素合金金物は最終的にレンチを用いて堅固に締め付けられて固定されるため、ボルト１４先端に取り付けられたヒ素合金金物１０が容易に外れてしまうことはない。
【００２８】
このように送電用鉄塔に既に存在するボルト・ナット１４，１６を利用して鳥害防止用ヒ素合金金物１０を取り付けることで、極めて容易にこれを構造物１２に取り付けることができるとともに、送電用鉄塔上で作業を行う作業者の作業の邪魔になることもほとんどなく、カラスや鳩等が営巣すること等を恒久的に防止することが可能となる。
なお例えば新設の送電用鉄塔（修繕を含む）の場合には、ボルト・ナット１４，１６にヒ素合金製のボルトおよびナットを用いることもできる。また送電用鉄塔を構成する構造材（主材や山型鋼）自体の材料をヒ素合金とすることで鳥害防止を図ることも勿論可能である。
【実施例２】
【００２９】
第２の実施例における鳥害防止用ヒ素合金金物１０’は、銅、鉄、鉛などを主成分とし、５〜１５重量％程度のヒ素を混合したヒ素合金にマグネット粉末を混入し、または、鉄等に磁気を帯びさせたヒ素合金を、平板状にしたもの（図３（ａ））とＬ字型状にしたもの（図３（ｂ））である。それぞれの金物の金属板厚さは１ｍｍ程度、縦横の長さは１０ｃｍ×３ｃｍ程度とする。
平板状にした鳥害防止用ヒ素合金金物は、送電用鉄塔上のカラス等が営巣しそうな場所に単に平面的に置くだけの形態で磁着され、Ｌ字型形状の鳥害防止用ヒ素合金金物は、山型鋼の屈曲部に沿わせるようにして置かれて磁着される（図３参照）。
なお、ヒ素合金自体に磁気を帯びさせる代わりに、シート状の磁石を用い、これを金属製の構造材１２’とヒ素合金金物の間に介在させてヒ素合金を構造物１２に取り付けるか、ヒ素合金の主成分が銅などの磁石に着かないものである場合等には、両面テープによりヒ素合金金物にシート状の磁石を接着してこれを構造物に取り付けてもよい。さらにシート状の磁石を用いずに、単純にヒ素合金金物を両面テープによって構造材に接着することも可能ではある。
【００３０】
以上説明した平板状やＬ字型状の鳥害防止用ヒ素合金金物１０’によれば、送電用鉄塔の金属製の構造材の平面や山形鋼のＬ字面に極めて容易にヒ素合金金物を取り付けることができ、また取り付けたヒ素合金が送電用鉄塔上での作業者の作業を邪魔することもほとんどなく、カラス等が営巣すること等を恒久的に防止することができる。
なお、主柱材などの円鋼管である構造材にヒ素合金金物１０’を取り付けたい場合には、平板状にしたヒ素合金を円筒形状の構造材の曲率に合わせて弓状に曲げることで、ヒ素合金を隙間なく磁着することができる。
【実施例３】
【００３１】
図４（ａ）に第３の実施例における鳥害防止用ヒ素合金金物１０”を示した。このヒ素合金金物は厚さ１ｃｍ程度の扁平のヒ素合金板を折り曲げることによって略コの字型に形成したもので、構造材１２’の厚みにあわせて１ｃｍ程度の開口部を形成して縦横高さが３ｃｍ×３ｃｍ×３ｃｍ程度の大きさを有している。このヒ素合金金物の構造材への取り付けは、ヒ素合金金物の開口端を送電用鉄塔を構成する山型鋼（構造材）の側端部上方から下方に向けて押し込むことによって嵌挿し、金物の弾性力によって構造材を挟止させることで行われる。なお金物の形状は構造材の端部を挟止することができる形状であれば略コの字型に限られず、略Ｃ字型、略Ｕ字型等、様々な形状を採用することができる。
【００３２】
この鳥害防止用ヒ素合金金物によれば、構造物に容易にヒ素合金を取り付けて鳥類を退けることができるのみならず、板状の側端部を有する構造材であれば金属製以外の構造物にも適用することが可能で、また既設のボルト・ナットがない位置にもこれを取り付けることができる。
【００３３】
またこのヒ素合金金物１０”では、図４（ａ）および（ｂ）に示したように、ヒ素合金金物を構造材の側端部に嵌挿した状態で、構造材を付勢するためのネジ３１（およびネジ穴）をヒ素合金金物の一側面に設けることも好ましい。かかるネジによれば、構造物へのヒ素合金金物の取り付けをより確実なものとすることができ、ヒ素合金金物が送電用鉄塔等の構造物から不用意に落下することを効果的に防止することができる。
【実施例４】
【００３４】
図５は第４の実施例における鳥害防止用ヒ素合金金物１０’’’を示した。このヒ素合金金物は直径２〜３ｍｍ程度のヒ素合金製の針金材を、構造物上の鳥類の足場となりうる位置に突出するように配設したもので、その形状は送電用鉄塔や駅のプラットホームの屋根の梁などに取り付けられている従来の針状の鳥害防止用金物（いわゆるクローアウト（登録商標））と同様のものである。そのためここではその形状に関する詳細な説明は省略する。
この針金材により鳥類は送電用鉄塔上に止まることや内部に入ることを阻害され、当然に金物が取り付けられた送電用鉄塔上に営巣などもすることもできず、また、ヒ素合金の特性により鳥類はこれに近接しないという相乗効果も期待できる。
なお図面は省略するが、このクローアウトと同様に、従来より避雷のために碍子連両端に配設されるアークホーン自体をヒ素合金製とすれば、アークホーンへの鳥類の近接を防いでアークホーン間の地絡の発生を回避することができる。
【００３５】
以上説明したように、本発明の鳥害防止用ヒ素合金金物および鳥害防止用ヒ素合金の取付構造によれば、カラス等が忌避するヒ素合金を利用することで、構造が単純でその製造コストも安く、またその取り付けが容易で、さらに送電用鉄塔等の構造物上での作業者の作業にも邪魔になることがほとんどなく、恒久的に鳥が営巣等をすることを防止することができるようになる。
【００３６】
なお本発明の鳥害防止用ヒ素合金金物の形状および取付位置等は、発明の趣旨を逸脱しない範囲で適宜変更することができるのは勿論である。
【産業上の利用可能性】
【００３７】
上記実施例では主として高圧送電線の送電用鉄塔を構造物の代表例として説明したが、本発明は構造物上への鳥類の営巣、構造物上からの鳥糞等の落下、鳥の鳴声による騒音等の鳥害を防止するために鳥類を退けたい場合であればこれに限られず、駅のプラットホームにかかる屋根など種々の構造物にも適用することが可能である。
【図面の簡単な説明】
【００３８】
【図１】本発明の鳥害防止用ヒ素合金金物が取り付けられる送電用鉄塔を説明するための図である。
【図２】第１実施例における鳥害防止用ヒ素合金金物を示した図である。
【図３】第２実施例における鳥害防止用ヒ素合金金物を示した図である。
【図４】第３実施例における鳥害防止用ヒ素合金金物を示した図である。
【図５】第４実施例における鳥害防止用ヒ素合金金物を示した図である。
【符号の説明】
【００３９】
１０，１０’，１０”，１０’’’  鳥害防止用ヒ素合金金物
１２    構造物
１２’  構造材
１４    ボルト
１６    ナット
１８    円筒溝
２１    送電用鉄塔
２３    主柱材
２５ａ  斜材
２５ｂ  水平材
２５    腹材
２７    腕金材
２７ａ  腕金主材
２７ｂ  腕金吊材
２９    補強板
３１    ネジ
【図１】
2006204147.tif 000003
【図２】
2006204147.tif 000004
【図３】
2006204147.tif 000005
【図４】
2006204147.tif 000006
【図５】
2006204147.tif 000007